(57)【要約】      （修正有）【課題】提げ手を内側及び外側のいずれの方向にも提げ手どうしが衝突することなく倒すことができる容器において、提げ手を起こした位置に保持することができ、使い易い容器を提供する。【解決手段】提げ手の両端に内方に向けて、内方端に鍔部４を形成した支持軸３を突出させ、容器の上縁部に提げ手の両端に形成した支持軸３を軸支するための支持板５、６を立設する。支持板には、支持軸が嵌合する嵌合孔と、嵌合孔に連通し提げ手を倒した状態で支持軸を通過させることができる挿入部８とを備え、容易に着脱することができるようにする。鍔部４には外方に向けて突出する突出部９と、突出部の先端部における支持板との対向面に係合突起を形成する。支持板５、６の表面には提げ手の係合突起がクリック状態に係合し、提げ手を起こした位置に保持する係止突起１１、１１を形成する。【選択図】図３
0003157022.tif 000002
【実用新案登録請求の範囲】
【請求項１】
上縁部に一定間隔を隔てて一対の略門形の提げ手の両端を回動自在に軸支し、該一対の提げ手は横幅を異ならせることによって内側及び外側のいずれの方向にも提げ手どうしが衝突することなく倒すことができる容器において、
提げ手の両端には内方に向けて内方端に鍔部を形成した支持軸を突出させるとともに、容器の上縁部に横幅の異なる提げ手の両端に形成した支持軸をそれぞれ軸支するための支持板を立設し、該支持板は、前記提げ手の支持軸が嵌合する嵌合孔と、嵌合孔に連通し提げ手を倒した状態で支持軸を通過させることができる挿入部とを備え、鍔部には外方に向けて突出する突出部と、突出部の先端部に支持板との対向面に向けて突出する係合突起を形成するとともに、支持板の表面に前記提げ手の係合突起がクリック状態に係合し、提げ手を起こした位置に保持する係止突起を形成したことを特徴とする容器の提げ手取り付け構造。
【請求項２】
容器の上縁部に立設する支持板に形成する提げ手の支持軸の挿入部は、他の提げ手の支持軸を支持する支持板との対向方向に開口させたことを特徴とする請求項１記載の容器の提げ手取り付け構造。
【請求項３】
提げ手の両端に形成する支持軸は、円形断面の左右側面の一部を切除した割円形断面とし、容器の上縁部に、立設する支持板に形成する嵌合孔は前記支持軸の円形断面の直径の軸が遊嵌合する直径の円形とし、該嵌合孔に連通する挿入部の幅は前記支持軸の円形の直径寸法よりも小径である割円部分の直径寸法が通過する、嵌合孔直径よりも細幅に形成することを特徴請求項１又は２記載の容器の提げ手取り付け構造。
【考案の詳細な説明】
【技術分野】
【０００１】
本考案は、主として上方部分が広く下方に向けて狭まるような、かごなどの運搬用の容器における提げ手の取り付け構造に関する考案である。
【背景技術】
【０００２】
かごなどの容器であって、スーパーマーケットなどで買い物かごとして利用されている容器では、容器の上縁部に一定間隔を隔てて同じ横幅寸法の、一対の略門形の提げ手の両端を回動自在に軸支し、二つの門形の提げ手を持つことによって安定的に提げることができるようにしている。
容器の保管などに際しては、一対の提げ手を外側に倒し、入れ子状態で空の容器を積み重ねることができる。しかしながら、容器の中に物品を収容した状態では、上位の容器の底部が物品に当たらないように積み重ねることはできない。
【０００３】
これに対して、特許文献１に開示された発明では、略門形の二つの提げ手(把手部)は、杆体間の距離を異なる幅径とすることによって、二つの提げ手を内側に倒すことができるようにしているため、内側に倒した提げ手を上位の容器の支受部として、物品を収容した状態で積み重ねができる。また、特許文献２に記載された発明では、外側に倒した提げ手を内方へ移動させることによって、物品を収容した容器を積み重ねることができるようにしている。
【先行技術文献】
【特許文献】
【０００４】
【特許文献１】実開昭５７−４４０３０号公報
【特許文献２】実用新案登録第３０１８８８８号公報
【考案の概要】
【考案が解決しようとする課題】
【０００５】
特許文献１に記載された発明では、略門形である二つの提げ手を幅径が異なるものとしたことによって、二つの提げ手は内外いずれの方向にも倒すことができるが、提げ手を起こした位置に保持することはできない。したがって、容器を頻繁に持ったり置いたりする場合は、完全に倒れている提げ手を起こして把持しなければならない不便があった。
特許文献２に記載された発明では、提げ手を起こした状態に維持することができないとともに、提げ手部の構造が複雑で提げ手強度に問題があり実用的ではない。
【０００６】
上記、従来技術の欠点に鑑み、本考案は提げ手を内側及び外側のいずれの方向にも提げ手どうしが衝突することなく倒すことができる容器において、提げ手を起こした位置に保持することができ、使い易い容器を実現することを目的とする。また、別の目的は、組立てが簡単であって、提げ手の組み立て状態を維持する提げ手強度に優れた構造を実現することを目的とする考案である。
【課題を解決するための手段】
【０００７】
請求項１記載の考案は、かごなどの容器１の上縁部に、一定間隔を隔てて一対の略門形の提げ手2A、2Bの両端を回動自在に軸支し、一対の提げ手2A、2Bは横幅を異ならせることによって内側及び外側のいずれの方向にも提げ手どうしが衝突することなく倒すことができる容器において、提げ手2A、2Bの両端には内方に向けて内方端に鍔部４を形成した支持軸３を突出させる。
容器１の上縁部には、上記横幅の異なる提げ手2A、2Bの両端に形成した支持軸３をそれぞれ軸支するための支持板５、６を立設する。この支持板５、６は、前記提げ手2A、2Bの支持軸３が嵌合する嵌合孔７と、嵌合孔７に連通し提げ手2A、2Bを倒した状態で支持軸３を通過させることができる挿入部８とを備えている。
【０００８】
支持軸３の内方端に形成した鍔部４には、外方に向けて突出する突出部９と、突出部９の先端部における支持板５、６との対向面に向けて突出する係合突起10を形成する。一方、支持板５、６の表面には、前記提げ手2A、2Bの係合突起10がクリック状態に係合し、提げ手2A、2Bを起こした位置に保持する係止突起11を形成する。
【０００９】
請求項２記載の考案は、請求項１記載の考案における支持板５、６に形成する提げ手2A、2Bの支持軸３の挿入部８を、他の提げ手2B、 2Aの支持軸３を支持する支持板６との対向方向に開口させることである。
請求項３記載の考案は、提げ手2A、2Bの両端に形成する支持軸３の断面形状を、円形断面の左右側面の一部を切除した割円形断面とすることである。このとき、容器１の上縁部に、立設する支持板５、６に形成する嵌合孔７は前記支持軸３の円形断面の直径ｄの軸３が遊嵌合する直径Ｄの円形とし、嵌合孔７に連通する挿入部８の幅Ｗは、前記支持軸３の円形の直径寸法ｄよりも小径である割円部分の直径d’寸法が通過する、嵌合孔の直径Ｄよりも細幅に形成する。
【考案の効果】
【００１０】
請求項１記載の考案によれば、容器１の上縁部に配置する一対の提げ手2A、2Bを提げ手どうしがぶつからない状態で、内方、外方のいずれの方向にも倒すことができ、容器１を入れ子状態もしくは物品を収容した状態で積み重ねることができる容器において、提げ手2A、2Bを起こした状態に保持することができるため、頻繁に持ったり置いたりする場合に、一々倒れている提げ手2A、2Bを起こして持つ必要がなく、使い勝手のよいものとすることができる。
さらに、提げ手2A、2Bは、提げ手2A、2Bの支持軸３を支持板５、６の挿入部８から嵌合孔７に出し入れするだけで簡単に着脱することができる。
【００１１】
請求項２記載の考案によれば、提げ手2A、2Bを取り外す場合、提げ手2A、2Bを内方に倒した状態で引っ張る。一般的な使用状態で、提げ手が外方に倒れた状態で引っ張られることはあるが、内方に倒れた状態で内方に引っ張られる可能性は少ない。したがって、提げ手2A、2Bは、着脱することができるものであるが、使用中に不用意に外れることがない。
請求項３記載の考案によれば、提げ手2A、2Bを倒して着脱する場合に作業が容易であって、提げ手2A、2Bを起こした使用状態では外れることがなく、安心して使用することができる。
【図面の簡単な説明】
【００１２】
【図１】図１は本考案の実施例である容器全体の平面図、
【図２】図２は本考案の実施例である容器全体の正面図、
【図３】図３は容器の内側から見た提げ手取り付け部分のみの正面図、
【図４】図４は図３のIV−IV線断面図、
【図５】図５は図４のＶ−Ｖ線断面図、
【図６】図６は提げ手の先端部分のみの側面図、
【図７】図７は図６のVII−VII線断面図、
【図８】図８は図３のVIII−VIII線断面図。
【考案を実施するための最良の形態】
【００１３】
以下、本考案に係る容器の提げ手取り付け構造の実施形態を添付の図面に基づいて説明する。
図１は容器全体の平面図、図２は容器全体の正面図である。本考案に係る容器は、運搬用のかごなどに見られる、上縁部に一定間隔を隔てて一対の略門形の提げ手2A、2Bの両端を回動自在に軸支することによって、一対の提げ手を握って安定的に提げることができるものに関する。
図示、実施形態の容器１は、本考案を運搬用容器あるいは整理用容器として利用することができる、かごに応用したものである。
【００１４】
容器１の上端部分には、外方に広がる水平方向の平面部12aと、外周壁12bによってフランジ部12を形成している。そして、容器１(かご)のフランジ部12の平面部12aに、一定間隔Ｘを隔てた位置において、それぞれ対向位置に支持板５、５及び支持板６、６を立設している。支持板５、５には、略門形の提げ手2Aの両端にそれぞれ内方に向けて突出させた支持軸３を、支持板６、６には提げ手2Bの両端にそれぞれ内方に向けて突出させた支持軸３を回動自在に軸支している。このとき、提げ手2Aの横幅(支持板５の外接寸法)をY1、提げ手2Bの横幅(支持板６の外接寸法)をY2とし、Y1とY2を異ならせることによって、図１において実線で示す外側に倒した状態と、点線で示す内側に倒した状態のいずれの方向にも、提げ手2Aと2Bが衝突することなく倒すことができるようにしている。
【００１５】
実線で示す提げ手2A、2Bを外側に倒した状態では、同じ容器を入れ子状態に積み重ねることができ、点線で示す提げ手2A、2Bを内側に倒した状態では、提げ手2A、2Bが次位の容器底面を支受する支えとなって、容器１に物品を収容した状態で積み重ねることができる。
門形の提げ手2A、2Bのそれぞれ両端において内方に向けて突出させた支持軸３の内方端には鍔部４を形成し、支持板５、６に軸支させた提げ手2A、2Bが外れにくいようにしている。
【００１６】
容器１の上縁部であるフランジ部12の、平面部12aに立設した支持板５と６は、容器１の略中心線に対して対称位置であって寸法Ｘだけ離れた位置に配置している。さらに、支持板４、５の容器１の幅方向の設置位置に関し、図１に示す実施形態では、提げ手2Aを支持する支持板５を平面部12aの外寄りに、提げ手2Bを支持する支持板６を平面部12aの内寄りに立設し、それぞれ、横幅Y1の提げ手2Aと横幅Y2の提げ手2Bを回動自在に軸支させている。
【００１７】
支持板５、６は、図４に示すように、支持軸３を安定的に保持することができる厚みの板状である。支持板５、６の正面形状は、図３に示すように、提げ手2A、2Bの両端に形成した、直径ｄの支持軸３が遊嵌合する直径Ｄの嵌合孔７と、嵌合孔７に連通し提げ手2A、2Bを倒した状態で支持軸３を通過させることができる挿入部８とを備えている。
【００１８】
支持軸３は、図７に示すように直径ｄの円形断面の軸の左右側面の一部(図示実施形態では片側のみ)を切除した割円形断面とし、割円部分の直径寸法(差し渡し寸法)d’を、前記直径ｄよりも小さくしている。そして、先に述べた嵌合孔７への挿入部８の幅寸法Ｗを、割円部分の直径寸法d’が通過させることができる寸法としている。挿入部の幅寸法Ｗは、割円部分の直径寸法d’よりも広いものである必用はない。すなわち、容器１を形成する材質にもよるが、強い力で挿入させる、すなわち無理嵌めすることができる範囲でd’＞Ｗとすれば、一旦装着した提げ手2Aや2Bが外れにくくなるため、好ましい。
支持軸３及び支持板５、６を上記構造とすることによって、提げ手2A、2Bを倒した状態で簡単に装着することができ、提げ手を起こした使用状態では提げ手が外れる虞がなく安心して使用することができる。
【００１９】
以上述べた、間隔Ｘを隔てて配置される支持板５と６は対称形に形成する。すなわち、一方の提げ手2Aの支持軸３を支持する支持板５の挿入部８を、他の提げ手2Bの支持軸３を支持する支持板６との対向方向に開口させる。これにより、提げ手2A、2Bは内側に倒した状態で支持軸３を導入部８から嵌合孔７に押し付けることによって挿入し、提げ手2A、2Bを装着することができる。また、装着している提げ手2A、2Bを内側に倒して引っ張ることによって簡単に取り外すことができる。
【００２０】
図示実施形態とは逆に、挿入部８を支持板５、６の外側に形成し、提げ手2A、2Bを外側に倒した姿勢で装着するようにして実施することも可能である。しかしながら、挿入部８を外側に向けて開口させた場合、提げ手2Aや2Bに対して外側に引っ張る力が作用した場合に、提げ手2Aや2Bが外れる可能性がある。そして、通常の使用状態において例えば片方の提げ手のみを持って提げてしまう場合のように、提げ手2A、2Bに対して外側に引っ張る力が作用する状態が実現する。
これに対して、通常の使用状態において、提げ手2A、2Bに対して内側に引っ張る力は作用しない。したがって、挿入部８を他の支持板６との対向側面に開口させた図示実施形態では、使用中に提げ手が外れる可能性がなく、安心して使用することができる。
【００２１】
図６、図７に示すように、支持軸３の先端に形成する鍔部４には、外方に向けて突出する突出部９を一体に形成する。この突出部９の先端部には、支持板５、６との対向面に向けて係合突起10を形成する。そして、支持板５、６の表面に、前記突出部９に形成した係合突起10がクリック状態に係合し、提げ手2A、2Bを起こした位置に保持する係止突起11、11を形成する。
【００２２】
図示実施形態の支持板５、６に、提げ手2A、2Bのそれぞれ両端において、内方に向けて突出させた支持軸３を装着した場合、提げ手2A、2Bの内面と鍔部４の外側面とで、支持板５、６を挟むことになる。したがって、鍔部１から突出する突出部９の支持板との対向面に形成した係合突起10が邪魔になる。そこで、図３や図５に示すように、支持板５、６内面の、突出部９の回動軌跡に相当する部分に一段低い凹部13を形成し、この凹部13に、前記係合突起10がクリック状態に係合する係止突起11を形成する。
【００２３】
係止突起11は、円弧状断面の筋状であって嵌合孔７の中心から放射方向に形成し、前記凹所13内に配置している。この係止突起11の高さは、支持軸３の鍔部４から突出させた突出部９に形成した係合突起10が、弾性的に乗り越え、提げ手2A、2Bの自重による回動力に耐えるようにする。この設定は、突出部９の弾発力と、係止突起11の高さによって決定される。本考案の実施形態では、鍔部４から突出部９が突出していることによって、無理のない弾性力を実現するバネ構造であって、提げ手2A、2Bを所定位置にクリック状態で係止させる状態を実現している。
【００２４】
嵌合孔７の中心から放射方向に形成する係止突起11は、角度αの二箇所に配置している。係止突起11の一つは、提げ手を起こし垂直位置の手前から垂直位置に向かって乗り越える位置に、もう一つの係止突起11は提げ手が垂直位置から少し回動した位置、具体的には二つの提げ手2A、2Bを垂直位置から僅かに倒れる位置としている。これにより、起こした位置に保持させた提げ手2Aと2Bは、簡単に一緒に握ることができる。
【００２５】
係止突起11の位置関係が上記の通りであると、例えば、容器１を提げて移動する途中で容器１を置いたときに、二つの提げ手2A、2Bは提げていたときに近い位置関係で係止され、再度提げる場合に違和感なく提げ手を握ることが可能となる。
勿論、少し力を入れてクリックを乗り越えさせることによって、提げ手は内側にも、外側にも無理なく倒すことができる。
【符号の説明】
【００２６】
１…容器、  2A、2B…提げ手、  ３…支持軸、  ４…鍔部、  ５、６…支持板、  ７…嵌合孔、  ８…挿入部、  ９…突出部、  10…係合突起、  11…係止突起、  12…フランジ部、  12a…平面部、  12b…外周壁、  13…凹部。
【図１】
0003157022.tif 000003
【図２】
0003157022.tif 000004
【図３】
0003157022.tif 000005
【図４】
0003157022.tif 000006
【図５】
0003157022.tif 000007
【図６】
0003157022.tif 000008
【図７】
0003157022.tif 000009
【図８】
0003157022.tif 000010